(57)【要約】【課題】発光効率に優れ、かつ長寿命の電球型発光ダイオード照明装置を提供する。【解決手段】電球型発光ダイオード照明装置は、発光ダイオード素子１が実装された放熱板２と、電子部品が実装された回路基板３と、放熱板２および回路基板３を内部に収容し、少なくとも一部が発光ダイオード素子１から発せられる光を透過させる透光部材で構成されたカバー部材４と、を有する電球型発光ダイオード照明装置において、回路基板３は、放熱板２から離間した位置に配置されている。【選択図】図１
2009176925.tif 000002
【特許請求の範囲】
【請求項１】
発光ダイオード素子が実装された放熱板と、電子部品が実装された回路基板と、前記放熱板および前記回路基板を内部に収容し、少なくとも一部が前記発光ダイオード素子から発せられる光を透過させる透光部材で構成されたカバー部材と、を有する電球型発光ダイオード照明装置において、
前記回路基板は、前記放熱板から離間した位置に配置されていることを特徴とする電球型発光ダイオード照明装置。
【請求項２】
前記回路基板の外周部が、前記カバー部材に当接して保持されている、請求項１に記載の電球型発光ダイオード照明装置。
【請求項３】
前記カバー部材は、前記回路基板の外周部を保持する保持部材を内部に備えている、請求項１または２に記載の電球型発光ダイオード照明装置。
【請求項４】
前記放熱板は、前記カバー部材の内部空間の断面積が実質的に最大である位置に配置され、前記放熱板の前記発光ダイオード素子が実装されている面が前記断面積と実質的に等しい面積を有している、請求項１から３のいずれか１項に記載の電球型発光ダイオード照明装置。
【請求項５】
前記カバー部材は、前記断面積を有する円筒部を備えており、前記放熱板および前記回路基板は前記円筒部に配置されている、請求項４に記載の電球型発光ダイオード照明装置。
【請求項６】
前記放熱板は、前記円筒部の、前記回路基板の前記放熱板に対向する面側の端部に配置されている、請求項５に記載の電球型発光ダイオード照明装置。
【請求項７】
前記回路基板は、前記円筒部の、前記放熱板の前記回路基板に対向する面側の端部に配置されている、請求項５または６に記載の電球型発光ダイオード照明装置。
【請求項８】
前記回路基板の両面に前記電子部品が実装されている、請求項１から７のいずれか１項に記載の電球型発光ダイオード照明装置。
【発明の詳細な説明】
【技術分野】
【０００１】
本発明は、電球型発光ダイオード照明装置に関する。
【背景技術】
【０００２】
発光ダイオード（ＬＥＤ：Ｌｉｇｈｔ  Ｅｍｉｔｔｉｎｇ  Ｄｉｏｄｅ）素子は、フィラメント電球に比べて長寿命、低消費電力、軽量などの特長を有しており、近年、フィラメント電球に代替して用いることができる発光ダイオード素子を用いた電球型の照明装置が注目されている。
【０００３】
発光ダイオード素子は、発光時に熱を発することにより温度が上昇するが、一般に、温度の上昇に伴い発光効率が低下するという特性を有している。また、発光ダイオード素子は、高温になることにより損傷を受けると短寿命化する。そのため、発光ダイオード素子を用いた照明装置では、発光時に発光ダイオード素子の温度の上昇が抑制されるように構成されている必要がある。
【０００４】
発光時に発光ダイオード素子の温度の上昇が抑制されるように構成されている電球型発光ダイオード照明装置が特許文献１に開示されている。
【０００５】
また、電球型発光ダイオード照明装置は、内部に回路基板が配置されることにより、明るさや色彩などを自在に制御されることが可能であり、フィラメント電球に比べて多彩な機能を発揮することができる点においてもメリットがある。
【０００６】
図３は、本発明に関連する電球型発光ダイオード照明装置のカバー部材の内部を示す断面図である。この電球型発光ダイオード照明装置は、カバー部材１０４の内部に、発光ダイオード素子１０１が発光時に発する熱を放出する放熱板１０２と、放熱板１０２に当接して配置された回路基板１０３と、を有している。
【特許文献１】特開２００１−２４３８０９号公報
【発明の開示】
【発明が解決しようとする課題】
【０００７】
図３に示した電球型発光ダイオード照明装置では、回路基板１０３が放熱板１０２に当接しているため、発光ダイオード素子１０１が発光時に発する熱により回路基板１０３に実装された電子部品等が損傷を受けることにより短寿命化することがある。またそれと同時に、回路基板１０３によって、発光ダイオード素子１０１の、放熱板１０２による放熱が妨げられることにもなるため、発光ダイオード素子１０１の発光効率の低下および短寿命化にもつながる。
【０００８】
そこで、本発明は、発光効率に優れ、かつ長寿命の電球型発光ダイオード照明装置を提供することを目的とする。
【課題を解決するための手段】
【０００９】
上記目的を達成するため、本発明の電球型発光ダイオード照明装置は、発光ダイオード素子が実装された放熱板と、電子部品が実装された回路基板と、前記放熱板および前記回路基板を内部に収容し、少なくとも一部が前記発光ダイオード素子から発せられる光を透過させる透光部材で構成されたカバー部材と、を有する電球型発光ダイオード照明装置において、前記回路基板は、前記放熱板から離間した位置に配置されている。
【発明の効果】
【００１０】
本発明によれば、発光効率に優れ、かつ長寿命の電球型発光ダイオード照明装置を提供することができる。
【発明を実施するための最良の形態】
【００１１】
次に、本発明の実施形態について図面を参照して説明する。
（第１の実施形態）
図１は本発明の第１の実施形態に係る電球型発光ダイオード照明装置のカバー部材の内部を示す断面図である。本実施形態に係る電球型発光ダイオード照明装置は、通電されることにより発光する発光ダイオード素子１と、発光ダイオード素子１が実装され、発光ダイオード素子１が発光時に発する熱を放出する放熱板２と、発光ダイオード素子１を制御する電子部品（不図示）等が実装された回路基板３と、発光ダイオード素子１と放熱板２と回路基板３とを内部に収容したカバー部材４と、を有している。カバー部材４は、回路基板３の外周部を保持する保持部材５を内部に備えている。
【００１２】
カバー部材４は、前部４ａと中間部４ｂと後部４ｃとによって構成されている。前部４ａおよび後部４ｃは略半球形に形成されており、中間部４ｂは略円筒形に形成されている。前部４ａの少なくとも一部は、発光ダイオード素子１から発せられる光を透過させる透光部材で構成されている。中間部４ｂおよび後部４ｃは、例えば、放熱性に優れた金属材料で形成される。中間部４ｂの前部４ａ側の端部には放熱板２が配置されており、中間部４ｂの後部４ｃ側の端部には回路基板３が配置されている。後部４ｃの後端部には口金６が取り付けられている。
【００１３】
放熱板２の、カバー部材４の前部４ａ側の面には、発光ダイオード素子１が実装されており、発光ダイオード素子１は外部電源（不図示）からの電力が回路基板３を通じて供給されると発光する。
【００１４】
この電球型発光ダイオード照明装置では、カバー部材４の中間部４ｂの両端部にそれぞれ放熱板２および回路基板３が配置されており、回路基板３は、放熱板２の、カバー部材４の後部４ｃ側の面から離間しているので、発光ダイオード素子１が発光時に発する熱が回路基板３に伝わることが抑制されている。このように、回路基板３に実装された電子部品等が損傷を受けることにより短寿命化することが防止されている。またそれと同時に、回路基板３によって、発光ダイオード素子１の、放熱板２による放熱が妨げられないため、発光ダイオード素子１が高温になることによる発光効率の低下および短寿命化が防止されている。
【００１５】
また、この電球型発光ダイオード照明装置では、放熱板２が、カバー部材４の内部空間の断面積が実質的に最大である中間部４ｂに配置されており、中間部４ｂの内部空間の断面積と実質的に等しい面積を有している。これにより、発光ダイオード素子１が実装されることができる発光面が広く設けられているため、高輝度化等の高性能化や多様な照明設計がなされることが可能である。
【００１６】
また、電球型発光ダイオード照明装置では、多彩な機能が実現されるためにそれぞれの機能に対応する電子部品等が回路基板に実装される必要がある。一方、電球型発光ダイオード照明装置のカバー部材の内部空間は狭いため、配置させることができる回路基板は基板面の面積が小さいものに限られる。したがって、実装可能な電子部品等の個数や大きさは制限されるので、その分、発揮させられる機能も制限される。そのため、電球型発光ダイオード照明装置の回路基板の基板面の面積はできるだけ大きいことが望ましい。
【００１７】
本実施形態に係る電球型発光ダイオード照明装置では、カバー部材４の中間部４ｂが略円筒形に形成されており、かつ、回路基板３の外周部が中間部４ｂの後端部に設けられた保持部材５に直接保持されていることにより、回路基板３の基板面は放熱板２の発光面と同様に大面積を有している。これにより、回路基板３には多くの電子部品等が実装可能であるため、より高機能化を図ることができる。また、回路基板３が放熱板２から離間した位置に配置されていることにより、回路基板３の、口金６側の面のみならず、放熱板２側の面にも電子部品等が実装可能であるため、さらに高機能化を図ることができる。
（第２の実施形態）
図２は本発明の第２の実施形態に係る電球型発光ダイオード照明装置のカバー部材の内部を示す断面図である。
【００１８】
本実施形態に係る電球型発光ダイオード照明装置は、通電されることにより発光する発光ダイオード素子１１と、発光ダイオード素子１１が実装され、発光ダイオード素子１１が発光時に発する熱を放出する放熱板１２と、発光ダイオード素子１１を制御する電子部品等が実装された回路基板１３と、発光ダイオード素子１１と放熱板１２と回路基板１３とを内部に収容したカバー部材１４と、を有している。なお、本実施形態に係る電球型発光ダイオード照明装置は、以下に示す構成以外は第１の実施形態に係る電球型発光ダイオード照明装置と同様に構成されている。
【００１９】
カバー部材１４は、略球形に形成されており、前部１４ａおよび後部１４ｃによって構成されている。カバー部材１４の、前部１４ａと後部１４ｃとの境界の部分には放熱板１２が配置されており、後部１４ｃの、放熱板１２から離間した位置には回路基板１３が配置されている。カバー部材１４は、回路基板１３の外周部を保持する保持部材１５を内部に備えている。
【００２０】
この電球型発光ダイオード照明装置は、放熱板１２および回路基板１３が離間して配置されていることにより、電子部品等が損傷を受けることによる短寿命化、および発光ダイオード素子１１が高温になることによる発光効率の低下および短寿命化が防止されている。
【００２１】
また、この電球型発光ダイオード照明装置は、放熱板１２が、カバー部材１４の内部空間の断面積が実質的に最大である、前部１４ａと後部１４ｃとの境界の部分に配置されていることにより、発光ダイオード素子１１の実装されることができる発光面が広く設けられている。
【００２２】
また、この電球型発光ダイオード照明装置は、第１の実施形態に係る電球型発光ダイオード照明装置のようにカバー部材に中間部を有していないが、回路基板１３がカバー部材１４に設けられた保持部材１５に直接保持されていることにより、回路基板１３の基板面は、カバー部材１４の内部の回路基板１３が配置されている部分において、実質的に、設置可能な最大の面積を有している。
【図面の簡単な説明】
【００２３】
【図１】本発明の第１の実施形態に係る電球型発光ダイオード照明装置のカバー部材の内部を示す断面図である。
【図２】本発明の第２の実施形態に係る電球型発光ダイオード照明装置のカバー部材の内部を示す断面図である。
【図３】本発明に関連する電球型発光ダイオード照明装置のカバー部材の内部を示す断面図である。
【符号の説明】
【００２４】
１，１１        発光ダイオード素子
２，１２        放熱板
３，１３        回路基板
４，１４        カバー部材
４ａ，１４ａ    前部
４ｂ    中間部
４ｃ，１４ｃ    後部
５，１５        保持部材
６      口金
【図１】
2009176925.tif 000003
【図２】
2009176925.tif 000004
【図３】
2009176925.tif 000005